(57)【特許請求の範囲】
【請求項１】
壁に固定された支持材と、
浴槽および前記壁から離間した状態で前記支持材により下面を支持され上面視において後端よりも後方の前記支持材の横方向の幅よりも広い横方向の幅を有する天板と、
被ホース接続部と、
一端が前記被ホース接続部に接続されたホースと、
前記ホースの他端に接続されたシャワーヘッドと、
前記シャワーヘッドが前記天板よりも前方で操作されているときに、前記ホースが前記天板を下回って前記天板の後端に引っ掛かることを抑制するホース引っ掛かり抑制手段と、
を備え、
前記ホース引っ掛かり抑制手段は、前記ホースを収納可能な収納部を有し、
前記ホースは、前記収納部に対して出し入れ可能とされ、
前記収納部は、前記壁と前記天板とのあいだに形成される隙間の上方に設けられ、且つ前記収納部は、前記壁に取り付けられ前記シャワーヘッドを保持するシャワーハンガの下方に設けられたことを特徴とする浴室。
【請求項２】
前記収納部は、浴室内に設けられたことを特徴とする請求項１記載の浴室。
【請求項３】
前記天板よりも上方、かつ、少なくとも一部が正面視において前記天板の左右端よりも内方に配置され、前記天板へ向かって水を吐出する水栓をさらに備え、
前記収納部は、前記水栓よりも下方かつ前記天板よりも上方に設けられ、
前記収納部の前端は、側面視において、前記天板の後端の近傍または前記天板の後端よりも後方に配置されたことを特徴とする請求項２記載の浴室。
【請求項４】
前記収納部の横方向の長さは、前記収納部の上下方向の長さよりも長いことを特徴とする請求項３記載の浴室。
【請求項５】
水栓をさらに備え、
前記収納部は、前記水栓の近傍に設けられたことを特徴とする請求項１記載の浴室。
【発明の詳細な説明】
【技術分野】
【０００１】
本発明の態様は、一般的に、カウンタが取り付けられた浴室に関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除には手間がかかるという点においては、改善の余地がある。
【０００６】
これに対して、本発明者は、浴室の壁面および浴槽から離間して設けられた天板を有する浴室用カウンタを検討中である。検討中の天板は、浴室の壁面（天板後方の壁面）に取り付けられた支持材により支持されている。また、検討中の支持材は、上面視において天板後端よりも後方に存在する支持材の左右方向の幅（左端から右端までの長さ）が天板の左右方向の幅よりも狭い。上面視において天板後端よりも後方に存在する支持材の上面には天板から流れてくる排水がかかりやすいため、このように支持材の左右方向の幅を狭くすることによって、支持材上面の左右方向における清掃範囲を抑えることができ、支持材上面の掃除の手間を抑えることができる。
【０００７】
しかし、本発明者の得た知見によれば、検討中の浴室用カウンタを備えた浴室では、使用者が手に持ったシャワーヘッドを天板よりも前方で使用しているときに、シャワーヘッドに接続されたホースがシャワーヘッドの動きに応じて振り回され、天板よりも上方から下降するホースが天板と浴室の壁面との間の隙間に入り、ホースが天板を下回ることがある。すると、シャワーヘッドに接続されたホースが天板の後端に引っ掛かり、シャワーヘッドを所望の位置まで移動させられないなど、シャワーヘッドの使い勝手が非常に悪くなることがあるという新たな課題が生ずる。
【先行技術文献】
【特許文献】
【０００８】
【特許文献１】特開２０１１−６７３４０号公報
【特許文献２】特開２０１３−１７９９８７号公報
【発明の概要】
【発明が解決しようとする課題】
【０００９】
本発明は、かかる課題の認識に基づいてなされたものであり、ホースが天板の後端に引っ掛かることを抑制することができる浴室を提供することを目的とする。
【課題を解決するための手段】
【００１０】
第１の発明は、壁に固定された支持材と、浴槽および前記壁から離間した状態で前記支持材により下面を支持され上面視において後端よりも後方の前記支持材の横方向の幅よりも広い横方向の幅を有する天板と、被ホース接続部と、一端が前記被ホース接続部に接続されたホースと、前記ホースの他端に接続されたシャワーヘッドと、前記シャワーヘッドが前記天板よりも前方で操作されているときに、前記ホースが前記天板を下回って前記天板の後端に引っ掛かることを抑制するホース引っ掛かり抑制手段と、を備え、前記ホース引っ掛かり抑制手段は、前記ホースを収納可能な収納部を有し、前記ホースは、前記収納部に対して出し入れ可能とされ、前記収納部は、前記壁と前記天板とのあいだに形成される隙間の上方に設けられ、且つ前記収納部は、前記壁に取り付けられ前記シャワーヘッドを保持するシャワーハンガの下方に設けられたことを特徴とする浴室である。
【００１１】
この浴室によれば、天板の全ての側端面が浴槽および壁面から水平方向に離間しているため、天板と浴槽との間および天板と壁面との間において入隅が形成されることを抑えることができる。  
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室の見栄えをより向上させることができる。  
また、天板の全ての側端面が浴槽および壁面から水平方向に離間しているため、例えば清掃者は、汚れが付着した天板の側端面を端から端まで洗剤およびスポンジなどの清掃用具で簡単に擦り洗いすることができる。  
また、天板後端よりも後方の支持材の幅が天板の幅よりも狭いため、天板よりも後方側における支持材の上面の横方向の清掃範囲を小さく抑えることができる。これにより、水が比較的かかりやすい支持材の上面の清掃の手間を軽減することができる。  
さらに、この浴室がホース引っ掛かり抑制手段を備えるため、天板後端よりも後方の支持材の幅が天板の幅よりも狭い場合であっても、ホースが天板の後端に引っ掛かることを抑制することができる。
【００１３】
この浴室によれば、ホースが収納式であるため、使用者は、天板の前方においてシャワーヘッドを操作しているときに、必要な長さだけのホースを浴室の内部に露出させることができる。これにより、浴室の内部に露出するホースのＵ字状のたるみを抑えることができ、シャワーヘッドの操作に応じて大きくＵ字状に弛んだホースが振り回される状況の発生を抑えることができる。これにより、浴室の内部に露出したホースが天板を下回ることを抑制することができ、天板の後端にホースが引っ掛かることを抑制することができる。
【００１４】
第２の発明は、第１の発明において、前記収納部は、浴室内に設けられたことを特徴とする浴室である。
【００１５】
この浴室によれば、収納部が浴室内に設けられているため、浴室の裏側（建築躯体の側）にホースの収納用のスペースを設ける必要がない。これにより、浴室と建築躯体との間のスペースを狭く抑えることができ、浴室の空間が全体的に小さくなることを抑えることができる。
【００１６】
第３の発明は、第２の発明において、前記天板よりも上方、かつ、少なくとも一部が正面視において前記天板の左右端よりも内方に配置され、前記天板へ向かって水を吐出する水栓をさらに備え、前記収納部は、前記水栓よりも下方かつ前記天板よりも上方に設けられ、前記収納部の前端は、側面視において、前記天板の後端の近傍または前記天板の後端よりも後方に配置されたことを特徴とする浴室である。
【００１７】
この浴室によれば、水栓が天板よりも上方に設けられている。収納部は、水栓の近傍に設けられている。これにより、水栓と収納部との間に給水配管を取り回す場合であっても、収納部と水栓との間の距離が比較的短いため、給水配管の長さをより短く抑えることができる。
【００１８】
第４の発明は、第３の発明において、前記収納部の横方向の長さは、前記収納部の上下方向の長さよりも長いことを特徴とする浴室である。
【００１９】
この浴室によれば、鏡や棚などが水栓の上に設置されることが比較的多い中で、収納部は、水栓よりも下方かつ天板よりも上方に設けられるとともに、収納部の前端は、後端の近傍または後端よりも後方に配置される。これにより、鏡や棚などが水栓の上に設置される場合および物（例えばシャンプーボトルや洗面器など）が天板に載置される場合の両者において、収納部が邪魔になることを抑制することができる。また、天板の後端面の清掃性を維持することができる。
【００２０】
第５の発明は、第１の発明において、水栓をさらに備え、前記収納部は、前記水栓の近傍に設けられたことを特徴とする浴室である。
【００２１】
この浴室によれば、水栓から被ホース接続部までの配管長さを短く抑えることができ、コストや施工の手間を低減させることができる。
【発明の効果】
【００２２】
本発明の態様によれば、ホースが天板の後端に引っ掛かることを抑制することができる浴室が提供される。
【図面の簡単な説明】
【００２３】
【図１】本発明の実施の形態にかかる浴室を表す模式的斜視図である。
【図２】本実施形態にかかる浴室を表す模式的平面図である。
【図３】本実施形態の被ホース接続部およびホースを表す模式的斜視図である。
【図４】本実施形態にかかる浴室を表す模式的平面図である。
【図５】本実施形態にかかる浴室において使用者がシャワーヘッドを使用している状態を表す模式的平面図である。
【図６】本実施形態のホースが収納部に対して出し入れされる状態を表す模式的平面図である。
【図７】本実施形態の具体例にかかるホースを表す模式的斜視図である。
【図８】本発明の他の実施の形態にかかる浴室を表す模式的斜視図である。
【図９】本実施形態にかかる浴室を表す模式的平面図である。
【図１０】本発明のさらに他の実施の形態にかかる浴室を表す模式的斜視図である。
【図１１】本実施形態にかかる浴室を表す模式的平面図である。
【図１２】本実施形態にかかる浴室を表す模式的平面図である。
【図１３】本発明のさらに他の実施の形態にかかる浴室を表す模式的平面図である。
【図１４】本発明のさらに他の実施の形態にかかる浴室を表す模式的平面図である。
【図１５】本発明のさらに他の実施の形態にかかる浴室を表す模式的平面図である。
【図１６】本発明のさらに他の実施の形態にかかる浴室を表す模式的平面図である。
【図１７】図１６に表した領域Ａ２１を拡大して表した模式的拡大図である。
【図１８】本実施形態の障害物が天板に取り付けられた状態を表す模式的拡大図である。
【図１９】本発明のさらに他の実施の形態にかかる浴室を表す模式的平面図である。
【図２０】本発明のさらに他の実施の形態にかかる浴室を表す模式的平面図である。
【図２１】本実施形態の障害物の具体例を表す模式的断面図である。
【図２２】本発明のさらに他の実施の形態にかかる浴室を表す模式的平面図である。
【図２３】本発明のさらに他の実施の形態にかかる浴室を表す模式的平面図である。
【図２４】本発明のさらに他の実施の形態にかかる浴室を表す模式的平面図である。
【図２５】本発明のさらに他の実施の形態にかかる浴室を表す模式的平面図である。
【図２６】本発明のさらに他の実施の形態にかかる浴室を表す模式的平面図である。
【図２７】本発明のさらに他の実施の形態にかかる浴室を表す模式的平面図である。
【図２８】本発明のさらに他の実施の形態にかかる浴室を表す模式的平面図である。
【図２９】本発明のさらに他の実施の形態にかかる浴室を表す模式的平面図である。
【発明を実施するための形態】
【００２４】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式的斜視図である。  
図２は、本実施形態にかかる浴室を表す模式的平面図である。  
図３は、本実施形態の被ホース接続部およびホースを表す模式的斜視図である。  
図２は、本実施形態にかかる浴室を上方から眺めた（上面視）ときの模式的平面図である。図２では、説明の便宜上、水栓を省略している。
【００２５】
本実施形態にかかる浴室１０は、浴槽２００と、カウンタ３００と、水栓４００と、ホース引っ掛かり抑制手段５００と、を備える。浴室１０は、鏡８０１を備えていてもよい。
【００２６】
カウンタ３００および水栓４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２７】
カウンタ３００は、天板３１０と、支持材３２０と、を有する。  
図２に表したように、天板３１０は、第１の側端面３１１と、第２の側端面３１２と、第３の側端面３１３と、第４の側端面３１４と、上面３１６と、下面３１７（図４参照）と、を有し、支持材３２０により支持されている。図１および図２に表したように、天板３１０は、浴槽２００、第１の壁面１１０および第２の壁面１２０から離間している。
【００２８】
より具体的に説明すると、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００２９】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３０】
第１の側端面３１１、第２の側端面３１２、および第３の側端面３１３の拭き掃除をするために、距離Ｄ１、距離Ｄ２、および距離Ｄ３は、より適切な距離に適宜設定されている。具体的には、距離Ｄ１、距離Ｄ２、および距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１、距離Ｄ２、および距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。なお、第１の側端面３１１、第２の側端面３１２、第３の側端面３１３、および第４の側端面３１４は、平面ではなく曲面を有していてもよい。例えば、側端面３１１〜３１４は、外方に向かって凸状に湾曲した形状でも良い。これによれば、例えば清掃者は、拭き掃除をより一層手軽に行うことができる。
【００３１】
支持材３２０は、第１の壁面１１０に取り付けられている。より具体的には、支持材３２０の一端は、例えばボルトなどの締結具により第１の壁面１１０に固定されている。支持材３２０の他端は、例えばネジなどの締結具により天板３１０の下面３１７に固定され、天板３１０の下面３１７を支持している。なお、支持材３２０は、天板３１０の下面３１７を直接的に支持しているのではなく、天板３１０の撓みを抑える補強材（図示せず）を介して天板３１０の下面３１７を支持していてもよい。
【００３２】
天板３１０よりも後方側において、支持材３２０の幅は、天板３１０の幅よりも狭い。つまり、図２に表したように、支持材３２０の横方向の長さ（横方向の幅）Ｄ５は、天板３１０の横方向の長さ（横方向の幅）Ｄ４よりも短い。言い換えれば、天板３１０の幅は、天板３１０の後端よりも後方の支持材３２０の幅よりも広い。なお、天板３１０の後端よりも前方側において、支持材３２０の横方向の長さは、天板３１０の横方向の長さより短くても良いし、天板３１０の横方向の長さより長くても構わない。また、天板３１０の横方向の長さと同一でも構わない。  
本願明細書において「横方向」とは、水平方向であって第１の壁面１１０に平行な方向をいう。
【００３３】
天板３１０の第２の側端面３１２と、支持材３２０の左端と、の間の横方向の距離Ｄ９は、例えば約１９５ｍｍ以上、４５０ｍｍ以下程度である。天板３１０の第３の側端面３１３と、支持材３２０の右端と、の間の距離Ｄ１０は、例えば約１９５ｍｍ以上、４５０ｍｍ以下程度である。これによれば、天板３１０の上面３１６に複数の物を置くことができるようにしつつも、天板３１０も安定して支持することができる。
【００３４】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６を前方側に下降傾斜させておくことが好ましい。天板３１０の上面３１６の傾斜角度は、水が天板３１０の上面３１６に著しく残らない程度の排水勾配の角度、かつ、天板３１０の上面３１６に置かれた物が滑り落ちない程度の傾斜角度であることがより好ましい。天板３１０の上面３１６の傾斜角度は、例えば約１．１５度以上、１．９１度以下程度である。
【００３５】
本願明細書において、「前方」とは、カウンタ３００および水栓４００が第１の壁面１１０に取り付けられた状態において、第１の壁面１１０に垂直な方向であって第１の壁面１１０からみてカウンタ３００および水栓４００の側の方向をいう。本願明細書において、「後方」とは、「前方」とは反対の方向をいう。本願明細書において、「下方」とは、カウンタ３００および水栓４００が第１の壁面１１０に取り付けられた状態において、鉛直方向であって水栓４００からみてカウンタ３００の側の方向をいう。本願明細書において、「上方」とは、「下方」とは反対の方向をいう。
【００３６】
水栓４００は、カウンタ３００よりも上方に設けられ、第１の壁面１１０に取り付けられている。水栓４００は、水栓本体４１０と、水栓カバー４２０と、を有する。水栓本体４１０は、水栓カバー４２０に内蔵され、被ホース接続部４１１と、吐水部４１３と、を有する。なお、被ホース接続部４１１は、水栓カバー４２０に内蔵されていることには限定されず、例えば、天板３１０よりも下方に設けられていてもよい。
【００３７】
また、水栓４００には、シャワーヘッド４３０と、ホース４４０と、が設けられている。ホース４４０の一端は、被ホース接続部４１１に接続されている。ホース４４０の他端は、シャワーヘッド４３０に接続されている。
【００３８】
より具体的に説明すると、図３に表したように、被ホース接続部４１１の先端部には、雄ねじ４１１ａが形成されている。一方で、ホース４４０の先端部には、接続金具４４８が設けられている。接続金具４４８の内側には、雌ねじ４４８ａが形成されている。接続金具４４８の雌ねじ４４８ａを被ホース接続部４１１の雄ねじ４１１ａに締め付けることにより、ホース４４０の一端は、被ホース接続部４１１に接続される。接続金具４４８の軸方向は、接続金具４４８から延びるホース４４０の軸方向と同一である。また、被ホース接続部４１１に接続されたホース４４０は、被ホース接続部４１１の軸方向に延びている。
【００３９】
ホース４４０は、可撓性を有する。また、ホース４４０の径は、例えば１２ミリメートル（ｍｍ）以上、２０ｍｍ以下程度である。但し、ホース４４０の径は、一例であり、これだけには限定されない。
【００４０】
ホース引っ掛かり抑制手段５００は、収納部５１０を有する。収納部５１０は、浴室１０の内部において、天板３１０と、水栓４００と、の間に設けられている。言い換えれば、収納部５１０は、浴室１０の内部において、天板３１０よりも上方、かつ、水栓４００よりも下方に設けられている。収納部５１０は、水栓４００の近傍に設けられている。言い換えれば、収納部５１０と水栓４００との間の距離は、収納部５１０と天板３１０との間の距離よりも短い。なお、収納部５１０は、浴槽２００の内面と側面２１０との間の空間や、第１の壁面１１０から前方側に離して配置した鏡８０１と第１の壁面１１０との間の空間や、天板３１０の下方の空間に設けられていても良い。
【００４１】
例えば、収納部５１０は、水栓４００に取り付けられている。あるいは、収納部５１０は、第１の壁面１１０に取り付けられている。あるいは、収納部５１０は、水栓４００および第１の壁面１１０に取り付けられている。但し、収納部５１０の設置形態は、これだけには限定されない。例えば、収納部５１０は、水栓４００の内部に設けられていてもよい。  
本願明細書において、「水栓４００の近傍」という範囲には、水栓４００の内部が含まれる。
【００４２】
図１に表したように、収納部５１０は、ホース４４０を収納することができる。また、例えば使用者は、シャワーヘッド４３０を操作することにより、ホース４４０を収納部５１０から引き出すことができる。つまり、ホース４４０は、収納部５１０に対して出し入れ可能とされている。この詳細については、後述する。
【００４３】
水栓４００は、水栓本体４１０を通して供給された水を吐水部４１３から天板３１０へ向かって吐出する。例えば、水栓４００は、天板３１０の上に載置された洗面器に吐水部４１３から水を供給する。あるいは、水栓４００は、水栓本体４１０を通して供給された水を被ホース接続部４１１からホース４４０へ導く。ホース４４０へ導かれた水は、シャワーヘッド４３０から吐出される。水栓本体４１０は、温度調整ユニット（図示せず）と、流量調整ユニット（図示せず）と、を有する。本願明細書において、「水」には、冷水のみならず、加温されたお湯が含まれる。
【００４４】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００４５】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００４６】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室１０の見栄えをより向上させることができる。
【００４７】
また、天板３１０の全ての側端面が浴槽２００、第１の壁面１１０、および第２の壁面１２０から水平方向に離間しているため、例えば清掃者は、汚れが付着した天板３１０の側端面を端から端まで洗剤およびスポンジなどの清掃用具でより簡単に擦り洗いすることができる。
【００４８】
また、支持材３２０の幅が天板３１０の幅よりも狭いため、天板３１０よりも後方側における支持材３２０の上面の横方向の清掃範囲をより小さく抑えることができる。さらに、天板３１０よりも後方側における支持材３２０の上面の面積をより狭い面積に抑えることができる。これにより、水が比較的かかりやすい、天板３１０よりも後方側の支持材３２０の上面の清掃の手間を軽減することができる。
【００４９】
ここで、図２に表したように、天板３１０よりも後方側において、支持材３２０の幅が天板３１０の幅よりも狭く、天板３１０の全ての側端面が浴槽２００、第１の壁面１１０、および第２の壁面１２０から水平方向に離間しているため、使用者が手に持ったシャワーヘッドを天板よりも前方で使用しているときに、シャワーヘッドに接続されたホースがシャワーヘッドの動きに応じて振り回され、天板よりも上方から下降するホースが天板と第１の壁面との間の隙間（図２の例では、隙間Ｓ１）に入り、ホースが天板を下回ることがある。すると、シャワーヘッドに接続されたホースが天板の後端に引っ掛かり、シャワーヘッドを所望の位置まで移動させられないなど、シャワーヘッドの使い勝手が非常に悪くなることがあるという新たな課題が生ずる。
【００５０】
これに対して、本実施形態にかかる浴室１０は、ホース引っ掛かり抑制手段５００を備える。ホース引っ掛かり抑制手段５００は、使用者がシャワーヘッド４３０を天板３１０よりも前方で使用しているときに、シャワーヘッド４３０に接続されたホース４４０が天板３１０を下回って天板３１０の後端に引っ掛かることを抑制する。
【００５１】
これによれば、支持材３２０の幅が天板３１０の幅よりも狭い場合であっても、ホース４４０が天板３１０の後端に引っ掛かることを抑制することができる。これにより、シャワーヘッド４３０の使い勝手が悪くなることを抑制することができる。
【００５２】
次に、ホース引っ掛かり抑制手段５００について、図面を参照しつつさらに説明する。  図４は、本実施形態にかかる浴室を表す模式的平面図である。  
図５は、本実施形態にかかる浴室において使用者がシャワーヘッドを使用している状態を表す模式的平面図である。  
図４は、本実施形態にかかる浴室を前方から眺めたときの模式的平面図である。図５は、本実施形態にかかる浴室を側方から眺めた（側面視）ときの模式的平面図である。
【００５３】
ホース引っ掛かり抑制手段５００は、収納部５１０を有する。図４に表したように、収納部５１０は、ホース４４０を収納することができる。一方で、図５に表したように、例えば使用者は、シャワーヘッド４３０を操作することにより、ホース４４０を収納部５１０から引き出すことができる。ホース４４０は、全長にわたって常に浴室１０の内部に露出しているわけではない。使用者は、天板３１０の前方においてシャワーヘッド４３０を操作しているときに、必要な長さだけのホース４４０を浴室１０の内部に露出させることができる。
【００５４】
これにより、浴室１０の内部に露出するホース４４０のＵ字状のたるみを抑えることができ、シャワーヘッド４３０の操作に応じて大きくＵ字状に弛んだホース４４０が振り回される状況の発生を抑えることができる。これにより、浴室１０の内部に露出したホース４４０が天板３１０を下回ることを抑制することができ、天板３１０の後端にホースが引っ掛かることを抑制することができる。
【００５５】
ここで、本実施形態のシャワーヘッド４３０およびホース４４０の構造について、図面を参照しつつ説明する。  
図６は、本実施形態のホースが収納部に対して出し入れされる状態を表す模式的平面図である。  
図７は、本実施形態の具体例にかかるホースを表す模式的斜視図である。
【００５６】
図６に表したように、水栓カバー４２０の上部には、台座４５０が設けられている。台座４５０は、貫通孔４５１を有する。使用者は、例えばシャワーヘッド４３０を使用していないときに、シャワーヘッド４３０を台座４５０に置くことができる。
【００５７】
水栓カバー４２０は、貫通孔４２２を有する。水栓カバー４２０の貫通孔４２２は、台座４５０の貫通孔４５１の下に設けられている。例えば、水栓カバー４２０の貫通孔４２２の軸は、台座４５０の貫通孔４５１の軸と略一致している。
【００５８】
これにより、図６に表した矢印Ａ１のように、ホース４４０は、台座４５０の貫通孔４５１および水栓カバー４２０の貫通孔４２２を通り、収納部５１０に対して出し入れされる。
【００５９】
ホース４４０の材料としては、例えばゴムや金属などが挙げられる。収納部５１０にホース４４０を出し入れしやすくするためには、台座４５０の貫通孔４５１および水栓カバー４２０の貫通孔４２２に対してホース４４０が高い摺動性を有し、かつ、可撓性を有するものが好ましいため、ホース４４０は、図７に表したように、蛇腹構造を有する金属製のものが好ましい。このようなホース４４０を用いることで、使用者は、収納部５１０に対するホース４４０の出し入れを比較的容易に行うことができる。
【００６０】
図４および図５に戻って説明すると、収納部５１０は、浴室１０の内部に設けられている。そのため、浴室１０の裏側（建築躯体の側）にホース４４０の収納用のスペースを設ける必要がない。これにより、浴室１０と建築躯体との間のスペースを狭く抑えることができ、浴室１０の空間が全体的に小さくなることを抑えることができる。
【００６１】
収納部５１０は、水栓４００の近傍に設けられている。言い換えれば、収納部５１０と水栓４００との間の距離は、収納部５１０と天板３１０との間の距離よりも短い。これにより、水栓本体４１０と被ホース接続部４１１との間の配管の長さをより短く抑えることができる。
【００６２】
図５に表したように、収納部５１０の前端５１１は、天板３１０の後端（図５の例では、第１の側端面３１１）の近傍または天板３１０の後端よりも後方に配置されている。また、収納部５１０は、天板３１０よりも上方、かつ、水栓４００よりも下方に設けられている。
【００６３】
これによれば、鏡８０１や棚などが水栓４００の上に設置されることが比較的多い中で、鏡８０１や棚などが水栓４００の上に設置される場合および物（例えばシャンプーボトルや洗面器など）が天板３１０に載置される場合の両者において、収納部５１０が邪魔になることを抑制することができる。また、天板３１０の第１の側端面（後端面）３１１の清掃性（清掃の行いやすさ）を維持することができる。
【００６４】
収納部５１０の横方向の長さＤ６は、収納部５１０の上下方向の長さＤ７よりも長い。言い換えれば、収納部５１０が浴室１０の内部に設置された状態において、前方からみた（正面視）ときに、収納部５１０は、横長状に形成されている。
【００６５】
これによれば、収納部５１０の下端５１３をより上方に配置することができる。つまり、収納部５１０の下端５１３と、天板３１０の上面３１６と、の間の距離をより長く確保することができる。これにより、水栓４００と天板３１０との間に収納部５１０を配置しながらも、天板３１０の第１の側端面３１１の清掃性をより確実に維持することができる。
【００６６】
次に、本発明の他の実施の形態について説明する。  
図８は、本発明の他の実施の形態にかかる浴室を表す模式的斜視図である。  
図９は、本実施形態にかかる浴室を表す模式的平面図である。  
図９は、本実施形態にかかる浴室を前方から眺めたときの模式的平面図である。
【００６７】
図１〜図３に関して前述した新たな課題に対して、本実施形態にかかる浴室１０では、被ホース接続部４１１は、天板３１０よりも上方に設けられている。また、被ホース接続部４１１から下降しているホース４４０が天板３１０の上面３１６の高さにおいて天板３１０の第２の側端面３１２と天板３１０の第３の側端面３１２との間（天板３１０の左右端よりも内方）に至ることが抑制される。そのため、使用者がシャワーヘッド４３０を天板３１０よりも前方で使用しているときに、シャワーヘッド４３０に接続されたホース４４０が天板３１０を下回って天板３１０の後端に引っ掛かることが抑制される。このように、ホース４４０が天板３１０の後端に引っ掛かることを抑制する手段が、本実施形態のホース引っ掛かり抑制手段５００である。その他の各部材の構造や配置は、図１〜図７に関して前述した通りである。なお、被ホース接続部４１１から下降しているホース４４０が天板３１０の上面３１６の高さにおいて、天板３１０の第１の側端面よりも前方（天板３１０の後端よりも前方）に至ることを抑制することで、シャワーヘッド４３０に接続されたホース４４０が天板３１０を下回って天板３１０の後端に引っ掛かることが抑制されるようにしても構わない。
【００６８】
これによれば、支持材３２０の幅が天板３１０の幅よりも狭い場合であっても、ホース４４０が天板３１０の後端に引っ掛かることを抑制することができる。これにより、シャワーヘッド４３０の使い勝手が悪くなることを抑制することができる。
【００６９】
より具体的に説明すると、図９に表したように、本実施形態の被ホース接続部４１１は、天板３１０の第２の側端面３１２よりも外方（図９では左方）に設けられている。なお、被ホース接続部４１１の設置形態は、これだけには限定されない。例えば、本実施形態の被ホース接続部４１１は、天板３１０の第３の側端面３１３よりも外方（図３では右方）に設けられていてもよい。
【００７０】
これによれば、使用者８１１がシャワーヘッド４３０を天板３１０よりも前方で使用しているときにホース４４０がＵ字状に垂れた状態で振り回されても、被ホース接続部４１１から下降しているホース４４０が天板３１０と第１の側端面３１１との間の隙間Ｓ１に入ることを抑制することができる。すなわち、ホース４４０が天板３１０の左右端よりも外方から隙間Ｓ１に入り込もうとしても、天板３１０の左右端よりも外方に設けられた被ホース接続部４１１の近傍のホース４４０が天板３１０よりも上方において天板３１０の左右端よりも外方側に凸状となるよう屈曲することによって生じる弾性力や下降するホース４４０の自重の作用（図９に表した矢印Ａ５参照）によって、ホース４４０が天板３１０の左右端よりも外方から隙間Ｓ１に向かうことを抑制する力が作用する。さらに、使用者が操作するシャワーヘッド４３０の動きに応じて、Ｕ字状に垂れるホース４４０が横方向に振られたとしても、正面視において、被ホース接続部４１１と天板３１０の左端との間における横方向の離間距離Ｄ８が存在するため、振られたホースが、天板の左端よりも外方から隙間Ｓ１に到達しづらくなる。そのため、ホース４４０が天板３１０の左右端よりも外方から隙間Ｓ１に到達することを抑制することができる。このように、被ホース接続部４１１の位置を工夫することにより、ホース４４０が隙間Ｓ１に到達することを抑制することができ、ホース４４０が天板３１０の後端に引っ掛かることを抑制することができる。
【００７１】
また、被ホース接続部４１１が天板３１０の左右端よりも外方に設けられているため、天板３１０に載置された物がホース４４０と干渉することを抑えながらも、ホース４４０が天板３１０の後端に引っ掛かることを抑制することができる。  
このように、本実施形態では、被ホース接続部４１１が天板３１０の左右端よりも外方に設けられたことが、ホース引っ掛かり抑制手段５００に相当する。
【００７２】
なお、本実施形態では、被ホース接続部４１１が天板３１０の左右端よりも外方に設けられている場合を例に挙げて説明した。但し、被ホース接続部４１１の設置形態は、これだけに限定されず、被ホース接続部４１１は、天板３１０の第１の側端面３１１よりも前方に設けられていてよい。この場合であっても、ホース４４０の弾性やホース４４０の自重によって、Ｕ字状に垂れるホース４４０が天板３１０の後端よりも後方に向かうことを抑制できると共に、天板３１０の後端よりも前方側から天板３１０の後端よりも後方の隙間Ｓ１に到達することを抑制することができ、ホース４４０が天板３１０の後端に引っ掛かることを抑制することができる。
【００７３】
次に、本発明のさらに他の実施の形態について説明する。  
図１０は、本発明のさらに他の実施の形態にかかる浴室を表す模式的斜視図である。  
図１１および図１２は、本実施形態にかかる浴室を表す模式的平面図である。  
図１１は、本実施形態にかかる浴室を上方から眺めたときの模式的平面図である。図１２は、本実施形態にかかる浴室を側方から眺めたときの模式的平面図である。
【００７４】
図１〜図３に関して前述した新たな課題に対して、本実施形態にかかる浴室１０では、被ホース接続部４１１は、水栓４００の側面４２１に設けられている。被ホース接続部４１１の軸４１２は、前方の成分を有する方向へ延びている。そのため、被ホース接続部４１１の近傍のホース４４０は、前方の成分を有する方向へ延びている。つまり、本実施形態の被ホース接続部４１１は、ホース４４０が天板３１０の上方において前方に向かうようにホース４４０を案内する。その他の各部材の構造や配置は、図１〜図７に関して前述した通りである。
【００７５】
これによれば、使用者８１１がシャワーヘッド４３０を天板３１０よりも前方で使用しているときにホース４４０がＵ字状に垂れた状態で振り回されても、被ホース接続部４１１から下降しているホース４４０が天板３１０と第１の側端面３１１との間の隙間Ｓ１に入ることを抑制することができる。すなわち、被ホース接続部４１１から下降するホース４４０が天板３１０の後方の隙間Ｓ１に向かおうとしても、被ホース接続部４１１先端の近傍の前方に案内されているホース４４０が天板３１０よりも上方において前方側に凸状となるよう屈曲することによって生じる弾性力や下降するホース４４０の自重の作用（図１１に表した矢印Ａ６参照）によって、ホース４４０が後方に向かうことを抑制する力が作用する。そのため、ホース４４０が天板３１０の第１の側端面３１１よりも後方に到達することを抑制することができる。このように、被ホース接続部４１１の軸方向を工夫することにより、ホース４４０が隙間Ｓ１に到達することを抑制することができ、ホース４４０が天板３１０の後端に引っ掛かることを抑制することができる。
【００７６】
このように、本実施形態では、ホース４４０が天板３１０の上方において前方に向かうように被ホース接続部４１１がホース４４０を案内することが、ホース引っ掛かり抑制手段５００に相当する。
【００７７】
なお、ホース４４０は、被ホース接続部４１１とは異なる他の部材により、天板３１０の上方において前方に向かうように案内されてもよい。この場合には、ホース４４０を前方に向かうように案内する部材は、例えば浴室１０の壁などに設けられる。また、ホース４４０が側方に向かうように、被ホース接続部４１１あるいは被ホース接続部４１１とは異なる他の部材がホース４４０を案内し、天板３１０の上面３１６の高さにおいてホース４４０が天板３１０の左右端よりも外方に位置するようにしてもよい。
【００７８】
次に、本発明のさらに他の実施の形態について説明する。  
図１３は、本発明のさらに他の実施の形態にかかる浴室を表す模式的平面図である。  
図１３は、本実施形態にかかる浴室を前方から眺めたときの模式的平面図である。
【００７９】
図１〜図３に関して前述した新たな課題に対して、本実施形態にかかる浴室１０では、ホース引っ掛かり抑制手段５００は、ガイド部材（ガイド手段）５２０を有する。ガイド部材５２０は、第１の壁面１１０に設けられている。ガイド部材５２０は、水栓４００の側方において第１の壁面１１０に固定され、第１の壁面１１０から略前方へ延びて略垂直に屈曲し、略上方へ延びている。
【００８０】
図１３に表したように、ガイド部材５２０は、ホース４４０の一部を保持し、被ホース接続部４１１から下降しているホース４４０が側方へ向かって下降するようにホース４４０を案内する。その他の各部材の構造や配置は、図１〜図７に関して前述した通りである。
【００８１】
これによれば、ガイド部材５２０は、被ホース接続部４１１から下降しているホース４４０が側方へ向かって下降するようにホース４４０を案内するため、天板３１０よりも上方において天板３１０の左右端よりも外方側に凸状となるよう屈曲することによって生じるホース４４０の弾性力や下降するホース４４０の自重の作用（図１３に表した矢印Ａ７参照）によって、ホース４４０が天板３１０の後端に引っ掛かることを抑制することができる。また、ガイド部材５２０を正面視で天板３１０の左端近傍の上方に設けているため、ホース４４０が天板３１０の後端に引っ掛かることを防止するために、シャワーヘッドの動きに追従可能なホース４４０の長さが必要以上に奪われることを抑え、使い勝手が低下することを抑えることができる。なお、ガイド部材５２０を正面視で天板３１０の右端近傍の上方に設けても同様の効果を得ることができる。
【００８２】
次に、本発明のさらに他の実施の形態について説明する。  
図１４〜図１６は、本発明のさらに他の実施の形態にかかる浴室を表す模式的平面図である。  
図１７は、図１６に表した領域Ａ２１を拡大して表した模式的拡大図である。  
図１８は、本実施形態の障害物が天板に取り付けられた状態を表す模式的拡大図である。
【００８３】
図１４は、本実施形態にかかる浴室を上方から眺めたときの模式的平面図である。図１５は、本実施形態にかかる浴室を前方から眺めたときの模式的平面図である。図１６は、本実施形態にかかる浴室を側方から眺めたときの模式的平面図である。
【００８４】
図１〜図３に関して前述した新たな課題に対して、本実施形態にかかる浴室１０では、ホース引っ掛かり抑制手段５００は、障害物５３０を有する。障害物５３０は、ホース４４０が天板３１０の後方の隙間Ｓ１に入り込むことを抑制する。
【００８５】
より具体的に説明すると、図１６および図１７に表したように、障害物５３０は、天板３１０の後方における下面３１７に設けられている。図１８に表したように、障害物５３０は、例えばねじなどの締結部材５３８により天板３１０の後方における下面３１７に固定されている。
【００８６】
図１７および図１８に表したように、障害物５３０は、突出部５３１を有する。突出部５３１は、天板３１０の後方の隙間の内、左右端部の隙間を横切るように突出している。また、突出部５３１は、天板３１０の後方の左右両端の側、かつ、天板３１０の下方において、前後方向に延びるように突出している。障害物５３０は、天板３１０の下面３１７に固定された移動阻止具として機能する。その他の各部材の構造や配置は、図１〜図７に関して前述した通りである。
【００８７】
これによれば、ホース引っ掛かり抑制手段５００が障害物５３０を有し、ホース４４０が天板３１０の後方の隙間Ｓ１に入り込むことを障害物５３０が抑制する。そのため、ホース４４０が天板３１０の後端に引っ掛かることを抑制することができる。
【００８８】
また、洗い場１００にいる使用者８１１がシャワーヘッド４３０を操作するときに、被ホース接続部４１１から下降しているホース４４０が天板３１０の後方の隙間Ｓ１に入り込む場合には、ホース４４０が天板３１０の側方の隙間を経て天板３１０の後方の隙間Ｓ１に入り込む。本実施形態では、突出部５３１が隙間Ｓ１を横切るように突出しているため、ホース４４０は、天板３１０の後方の隙間Ｓ１に入り込む前に突出部５３１に当たる。これにより、ホース４４０が天板３１０の後方の隙間Ｓ１へ移動することが妨害されるため、ホース４４０が天板３１０の後端に引っ掛かることを抑制することができる。
【００８９】
また、突出部５３１が、天板３１０の後方の左右両端の側、かつ、天板３１０の下方において、前後方向に延びるように突出しているため、使用者８１１は、洗い場１００に立った状態では突出部５３１を視認し難い。また、使用者８１１は、天板３１０の上に載置された物を取るときなどに、突出部５３１と当たることはほとんどない。これにより、デザイン性および使い勝手の良さを確保することができる。なお、突出部５３１は、天板３１０の側方の隙間Ｓ２、Ｓ３を横切るように突出させても、側方の隙間Ｓ２、Ｓ３を経て天板３１０の後方に回り込もうとするホース４４０の移動を妨害できるため、ホース４４０が天板３１０の後端に引っ掛かることを抑制することができる。
【００９０】
また、障害物５３０が移動阻止具として天板３１０の下面３１７に固定されているため、取付部５３３に汚れが付着しづらく、取付部５３３の清掃の手間を軽減させることができる。
【００９１】
次に、本発明のさらに他の実施の形態について説明する。  
図１９および図２０は、本発明のさらに他の実施の形態にかかる浴室を表す模式的平面図である。  
図２１は、本実施形態の障害物の具体例を表す模式的断面図である。
【００９２】
図１９は、本実施形態にかかる浴室を前方から眺めたときの模式的平面図である。図２０は、本実施形態にかかる浴室を側方から眺めたときの模式的平面図である。
【００９３】
図１〜図３に関して前述した新たな課題に対して、本実施形態にかかる浴室１０では、ホース引っ掛かり抑制手段５００は、障害物５４０を有する。障害物５４０は、ホース４４０が天板３１０の後方の隙間Ｓ１に入り込むことを抑制する。
【００９４】
より具体的に説明すると、障害物５４０は、ホース径拡大部材を有し、ホース４４０の一端と、ホース４４０の他端と、の間のホース４４０略中央部に取り付けられている。障害物５４０の外径は、ホース４４０の一端側の径およびホース４４０の他端側の径よりも大きい。ホース４４０に取り付けられた障害物５４０の外径は、天板３１０の側方の隙間の幅もしくは天板３１０の後方の隙間Ｓ１の幅（第１の側端面３１１と、第１の壁面１１０と、の間の距離Ｄ１）以上である。
【００９５】
図２１に表した具体例のように、障害物５４０は、第１のホース径拡大部材５４１と、第２のホース径拡大部材５４２と、を有する。例えば、ホース４４０は、ふたつの部材に分割されており、第１のホース部４４１と、第２のホース部４４２と、を有する。第１のホース部４４１の端部には、第１の締結部材４４３が取り付けられている。一方で、第２のホース部４４２の端部には、第２の締結部材４４４が取り付けられている。第１のホース径拡大部材５４１は、第１の締結部材４４３の外側に設けられており、第１のホース部４４１の軸に沿って移動することができる。一方で、第２のホース径拡大部材５４２は、第２の締結部材４４４の外側に設けられており、第２のホース部４４２の軸に沿って移動することができる。
【００９６】
第１のホース部４４１を第２のホース部４４２に接続するときには、まず、第１の締結部材４４３と第２の締結部材４４４とを互いに締め付ける。これにより、第１のホース部４４１が第２のホース部４４２に接続される。続いて、互いに締め付けられた第１の締結部材４４３と第２の締結部材４４４との外側において、第１のホース径拡大部材５４１と第２のホース径拡大部材５４２とを互いに結合させる。
【００９７】
第１のホース径拡大部材５４１は、凹部５４１ａを有する。第２のホース径拡大部材５４２は、凸部５４２ａを有する。第２のホース径拡大部材５４２の凸部５４２ａが第１のホース径拡大部材５４１の凹部５４１ａに挿入されることにより、第１のホース径拡大部材５４１と第２のホース径拡大部材５４２とが互いに結合する。その他の各部材の構造や配置は、図１〜図７に関して前述した通りである。
【００９８】
これによれば、ホース４４０の中央部が天板３１０の後方の隙間Ｓ１に入り込むことを抑制することができる。すなわち、Ｕ字状の垂れるホース４４０のうちで天板３１０の後方の隙間Ｓ１に入り込む部分は、ホース４４０の一端およびホース４４０他端ではなく、ホース４４０の中央部である。ホース４４０の中央部の径が、障害物５４０のホース径拡大部材により、天板３１０の側方の隙間の幅もしくは天板３１０の後方の隙間Ｓ１の幅以上となっているため、天板３１０の後方の隙間Ｓ１に入り込むことを抑制することができる。なお、ホース４４０に取り付けられた障害物５４０の外径を、天板３１０の側方の隙間の幅以上にした場合は、天板３１０の側方の隙間へのホース４４０が入り込むことを抑制でき、結果的にホース４４０が天板３１０の後端に引っ掛かることを抑制することができる。
【００９９】
次に、本発明のさらに他の実施の形態について説明する。  
図２２および図２３は、本発明のさらに他の実施の形態にかかる浴室を表す模式的平面図である。  
図２２は、本実施形態にかかる浴室を前方から眺めたときの模式的平面図である。図２３は、本実施形態にかかる浴室を側方から眺めたときの模式的平面図である。
【０１００】
本実施形態にかかる浴室１０は、シャワーハンガ４６０をさらに備える。シャワーハンガ４６０は、天板３１０よりも上方において第１の壁面１１０に設けられ、シャワーヘッド４３０を異なる高さの位置において保持することができる。これにより、シャワーヘッド４３０は、シャワーハンガ４６０に対して着脱自在に設けられ、上下方向の位置を調整可能とされている。
【０１０１】
図１〜図３に関して前述した新たな課題に対して、本実施形態にかかる浴室１０では、被ホース接続部４１１は、シャワーハンガ４６０よりも高い位置に設けられ、かつ、シャワーヘッド４３０がシャワーハンガ４６０の最も低い位置に保持された状態においてＵ字状に垂れるホース４４０の下端４４０ｂが天板３１０の上面３１６よりも上方に位置するように被ホース接続部４１１が配置されている。また、被ホース接続部４１１およびシャワーハンガ４６０は、天板３１０の左右端部のいずれか一方の端部の側に配置されている。その他の各部材の構造や配置は、図１〜図７に関して前述した通りである。
【０１０２】
これによれば、シャワーヘッド４３０がシャワーハンガ４６０の最も低い位置に保持された状態においてＵ字状に垂れるホース４４０の下端４４０ｂが天板３１０の上面３１６よりも上方に位置するように被ホース接続部４１１が配置されている。そのため、ホース４４０の下端４４０ｂが天板３１０の下面３１７よりも下方に位置する場合に比べて、シャワーハンガ４６０から取り外された状態のシャワーヘッド４３０を天板３１０よりも前方で使用者８１１が操作する際にＵ字状に垂れるホース４４０の下端４４０ｂが天板３１０の下面３１７を下回ることを抑制することができる。そのため、天板３１０の後端にホース４４０が引っ掛かることを抑制することができる。
【０１０３】
また、被ホース接続部４１１およびシャワーハンガ４６０が天板３１０の左右端部のいずれか一方の端部の側に配置されているため、ホース４４０の下端４４０ｂが天板３１０の上面３１６よりも上方に位置しても、使用者８１１がシャワーヘッド４３０をシャワーハンガ４６０に対して着脱させるときや、洗い場１００の側でシャワーヘッド４３０を操作するときなどの一連の動作中において、天板３１０の上面３１６に載置された物（例えばシャンプーボトルや洗面器など）にホース４４０が干渉することを抑えることができる。これにより、使い勝手の良さを確保することができる。
【０１０４】
このように、本実施形態では、被ホース接続部４１１がシャワーハンガ４６０よりも高い位置に設けられ、かつ、シャワーヘッド４３０がシャワーハンガ４６０の最も低い位置に保持された状態においてＵ字状に垂れるホース４４０の下端４４０ｂが天板３１０の上面３１６よりも上方に位置するように被ホース接続部４１１が配置されたことが、ホース引っ掛かり抑制手段５００に相当する。
【０１０５】
次に、本発明のさらに他の実施の形態について説明する。  
図２４〜図２６は、本発明のさらに他の実施の形態にかかる浴室を表す模式的平面図である。  
図２４は、本実施形態にかかる浴室を上方から眺めたときの模式的平面図である。図２５は、本実施形態にかかる浴室を前方から眺めたときの模式的平面図である。図２６は、本実施形態にかかる浴室を側方から眺めたときの模式的平面図である。
【０１０６】
図１〜図３に関して前述した新たな課題に対して、本実施形態にかかる浴室１０では、支持材３２０は、第１の支持細部材３２１と、第２の支持細部材３２２と、を有する。第１の支持細部材３２１および第２の支持細部材３２２は、第１の壁面１１０に取り付けられ、天板３１０の左右端部の下面３１７を支持している。
【０１０７】
第１の支持細部材３２１および第２の支持細部材３２２のそれぞれの横方向の長さＤ６は、図１〜図３に関して前述した支持材３２０の横方向の長さＤ５よりも短い。第１の支持細部材３２１の横方向の長さＤ６と、第２の支持細部材３２２の横方向の長さＤ６と、を足した長さ（２×Ｄ６）は、天板３１０の横方向の長さＤ４よりも短い。その他の各部材の構造や配置は、図１〜図７に関して前述した通りである。
【０１０８】
これによれば、ホース４４０の引っ掛かりを抑制するための専用部材を設ける必要がない。また、第１の支持細部材３２１および第２の支持細部材３２２は、天板３１０の両端が撓まないようにしっかりと天板３１０の左右端部を支持しつつ、ホース４４０が天板３１０の後方の隙間Ｓ１に入り込むことを抑制することができる。
【０１０９】
なお、図２５に表した二点鎖線の被ホース接続部４１１のように、被ホース接続部４１１が天板３１０の中央からみて左右の一方に偏心して設けられた場合には、使用者８１１がシャワーヘッド４３０を操作しているときに、ホース４４０は、偏心して設けられた側の天板３１０の端部（図２５では左側の端部）に回り込みやすい。そのため、被ホース接続部４１１が天板３１０の中央からみて左右の一方に偏心して設けられた場合には、支持材３２０は、ホース４４０が偏心して設けられた側の天板３１０の端部の下面３１７を支持する支持細部材（図２５では第１の支持細部材３２１）だけを有していてもよい。つまり、支持材３２０は、第１の支持細部材３２１と、第２の支持細部材３２２と、を有することには限定されず、第１の支持細部材３２１および第２の支持細部材３２２のいずれか一方を有していてもよい。この場合であっても、ホース４４０が天板３１０の後端に引っ掛かることを抑制することができる。
【０１１０】
このように、本実施形態では、天板３１０の左右端部の少なくともいずれかの下面３１７を支持する支持細部材であって、支持材の幅よりも狭い幅を有する支持細部材を支持材３２０が有することが、ホース引っ掛かり抑制手段５００に相当する。
【０１１１】
次に、本発明のさらに他の実施の形態について説明する。  
図２７および図２８は、本発明のさらに他の実施の形態にかかる浴室を表す模式的平面図である。  
図２７は、本実施形態にかかる浴室を上方から眺めたときの模式的平面図である。図２８は、天板の第１の側端面の近傍を拡大して表した模式的拡大図である。図２８は、図１６に表した領域Ａ２１を拡大して表した模式的拡大図に相当する。
【０１１２】
図１〜図３に関して前述した新たな課題に対して、本実施形態にかかる浴室１０では、第１の側端面３１１と、第１の壁面１１０と、の間の距離Ｄ１が、ホース４４０の径Ｄ７よりも短い。図１〜図３に関して前述したように、ホース４４０の径Ｄ７は、例えば１２ｍｍ以上、２０ｍｍ以下程度である。一方で、本実施形態における距離Ｄ１は、例えば５ｍｍ以上、１５ｍｍ以下程度である。その他の各部材の構造や配置は、図１〜図７に関して前述した通りである。
【０１１３】
これによれば、ホース４４０の引っ掛かりを抑制するための専用部材を設ける必要がない。そのため、比較的簡単な構造により、ホース４４０が天板３１０の後端に引っ掛かることを抑制することができる。
【０１１４】
このように、本実施形態では、第１の側端面３１１と第１の壁面１１０との間の距離Ｄ１をホース４４０の径Ｄ７よりも短くすることが、ホース引っ掛かり抑制手段５００に相当する。
【０１１５】
次に、本発明のさらに他の実施の形態について説明する。  
図２９は、本発明のさらに他の実施の形態にかかる浴室を表す模式的平面図である。  
図２９は、本実施形態にかかる浴室を側方から眺めたときの模式的平面図である。
【０１１６】
図１〜図３に関して前述した新たな課題に対して、本実施形態にかかる浴室１０では、ホース引っ掛かり抑制手段５００は、配管４１４を有する。配管４１４の一端は、水栓４００の水栓本体４１０（図１参照）と接続されている。配管４１４の他端は、支持材３２０の前面３２５に設けられた被ホース接続部４１１に接続されている。図２９に表したように、配管４１４の一部は、浴室１０の裏側（建築躯体の側）に配置されている。
【０１１７】
これによれば、水栓本体４１０と被ホース接続部４１１とを接続する配管４１４の一部が浴室１０の裏側に配置され、かつ、被ホース接続部４１１が支持材３２０の前面３２５に設けられている。そのため、図２９のように、ホース４４０は、支持材３２０の前面３２５から延び、ホース４４０以外の配管類は、浴室１０には配置されない。このように天板３１０よりも下方からホース４４０が延びる形態や天板３１０の下面３１７からホース４４０が延びる形態とすることで、天板３１０の上方からホース４４０が下降することがなくなり、下降するホース４４０が天板３１０の後方に回り込むことがないため、ホース４４０が天板３１０の上方から天板３１０を下回って洗い場１００の側に延びる状態になることがなく、ホース４４０が天板３１０の後端に引っ掛かることを抑制することができる。
【０１１８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０、カウンタ３００、および水栓４００などが備える各要素の形状、寸法、材質、配置などやカウンタ３００、水栓４００、およびホース引っ掛かり抑制手段５００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１９】
１０ 浴室、  １００ 洗い場、  １１０ 第１の壁面、  １２０ 第２の壁面、  ２００ 浴槽、  ２１０ 側面、  ３００ カウンタ、  ３１０ 天板、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ３２１ 第１の支持細部材、  ３２２ 第２の支持細部材、  ３２５ 前面、  ４００ 水栓、  ４１０ 水栓本体、  ４１１ 被ホース接続部、  ４１１ａ 雄ねじ、  ４１２ 軸、  ４１３ 吐水部、  ４１４ 配管、  ４２０ 水栓カバー、  ４２１ 側面、  ４２２ 貫通孔、  ４３０ シャワーヘッド、  ４４０ ホース、  ４４０ｂ 下端、  ４４１ 第１のホース部、  ４４２ 第２のホース部、  ４４３ 第１の締結部材、  ４４４ 第２の締結部材、  ４４８ 接続金具、  ４４８ａ 雌ねじ、  ４５０ 台座、  ４５１ 貫通孔、  ４６０ シャワーハンガ、  ５００ ホース引っ掛かり抑制手段、  ５１０ 収納部、  ５１１ 前端、  ５１３ 下端、  ５２０ ガイド部材、  ５３０ 障害物、  ５３１ 突出部、  ５３３ 取付部、  ５３８ 締結部材、  ５４０ 障害物、  ５４１ 第１のホース径拡大部材、  ５４１ａ 凹部、  ５４２ 第２のホース径拡大部材、  ５４２ａ 凸部、  ８０１ 鏡、  ８１１ 使用者
【図１】
0006565045.tif 000002
【図２】
0006565045.tif 000003
【図３】
0006565045.tif 000004
【図４】
0006565045.tif 000005
【図５】
0006565045.tif 000006
【図６】
0006565045.tif 000007
【図７】
0006565045.tif 000008
【図８】
0006565045.tif 000009
【図９】
0006565045.tif 000010
【図１０】
0006565045.tif 000011
【図１１】
0006565045.tif 000012
【図１２】
0006565045.tif 000013
【図１３】
0006565045.tif 000014
【図１４】
0006565045.tif 000015
【図１５】
0006565045.tif 000016
【図１６】
0006565045.tif 000017
【図１７】
0006565045.tif 000018
【図１８】
0006565045.tif 000019
【図１９】
0006565045.tif 000020
【図２０】
0006565045.tif 000021
【図２１】
0006565045.tif 000022
【図２２】
0006565045.tif 000023
【図２３】
0006565045.tif 000024
【図２４】
0006565045.tif 000025
【図２５】
0006565045.tif 000026
【図２６】
0006565045.tif 000027
【図２７】
0006565045.tif 000028
【図２８】
0006565045.tif 000029
【図２９】
0006565045.tif 000030